(57)【要約】【課題】中皿が取り替え可能な化粧料コンパクト容器における押上部材の取付作業性を改善すると共に、中皿取り替えの際の操作性を向上させる。また、中皿を外した状態でも押上部材がガタつかないようにし、その品質感を向上させる。【解決手段】容器本体１内に中皿が嵌合する内枠２を固定し、この内枠２には中皿の外周壁に設けられた周溝に係合し、中皿を脱落不可に保持する弾性係止部２ａを設けた。また、弾性係止部２ａの下方の容器本体１の底部１ａには、中皿の裏面を押し上げる押上部材操作用の開口１ｃを設け、押上部材３は、その一端が容器本体１と内枠２との間で固定保持されることにより、前記開口１ｃに没入可能に取り付けられることとした。さらに、容器本体１あるいは内枠２側に、押上部材３と当接し、この押上部材３を位置決め保持する係止突部１ｇを設けた。【選択図】  図２
2005137439.tif 000002
【特許請求の範囲】
【請求項１】
容器本体内に化粧料を充填した中皿を着脱自在に収納固定してなる化粧料コンパクト容器において、
容器本体内に中皿が嵌合する内枠が固定され、該内枠には中皿の外周壁に設けられた周溝に係合し、中皿を脱落不可に保持する弾性係止部が設けられ、この弾性係止部の下方の容器本体の底部には、中皿の底面を押し上げる押上部材操作用の開口が設けられ、該押上部材は、その一端が容器本体と内枠との間で揺動あるいは回動可能に保持されることにより、前記開口に没入可能に取り付けられており、かつ、この押上部材は、容器本体あるいは内枠側に設けられた係止突部と当接する事により、中皿を装着していない時の不用意な没入が防止され、没入後は、中皿を持ち上げた状態が維持されるようになされたことを特徴とする化粧料コンパクト容器。
【請求項２】
上記弾性係止部が、内枠の内側壁に先端が出没可能に取り付けられた弾性係止部材で形成されていることを特徴とする請求項１記載の化粧料コンパクト容器。
【発明の詳細な説明】
【技術分野】
【０００１】
本発明は、化粧料が充填された交換用中皿を、容易に交換できるようにした化粧料コンパクト容器に関する。
【背景技術】
【０００２】
化粧料コンパクト容器は、いうまでもなく化粧料を収容した容器本体の一側に、該容器本体の上面を開閉し得るように蓋を枢着し、全体を扁平かつ小形に形成して携帯に便利な形状としたものである。従って、収容できる化粧料の量が限られ、そのため、一般にこの種の化粧料容器では、化粧料は金属製の中皿に充填され、この中皿を取り替えることにより化粧料の消耗に対処することとしていた。
【０００３】
ここにおいて、従来の化粧料コンパクト容器では、容器本体に嵌合、あるいは両面テープや接着剤で接合された中皿を、容器本体の底面に設けられた小孔からピンなどを差し込む事により、押し上げて容器本体から取り出すようにしていた。しかしながら、中皿は容易に脱落しないように容器本体に取り付けられているため、この作業は困難で、また操作用のピン等を準備しなくてはならず、煩わしいという問題点があった。
【０００４】
そこで、この点を改善するために容器本体の底に、中皿を押し上げる操作ボタンを設けたものが開発された。
【０００５】
この操作ボタンを設けた従来のものとしては、底壁に指先が入る程度の押出し用孔を開け、かつ、この押出し用孔から周辺一側にかけての底壁上面に浅溝を形成した容器本体と、枠状であって、枠壁の一側下側から前記浅溝内を這う支片先端に前記押出し用孔を塞ぐ小蓋を設けた操作ボタンとなる押出し操作片を弾性変形可能に内方に突出形成して前記化粧容器本体に内嵌される内枠部材と、この内枠部材に収納される中皿に相当する化粧品充填ドラムとで構成されたものがあった。（例えば、特許文献１参照）。
【０００６】
また、この他に容器本体内に中皿を嵌合収納する皿枠を固着し、容器本体の底壁に貫通孔を形成すると共に、皿枠の側壁に可撓性を有する爪片を設け、かつこの爪片には係合突条を設け、容器本体の貫通孔に対応する皿枠の底壁を切欠して空所を設けると共に、中皿の外側壁に係合溝を設けて爪片の係合突条と係合可能とし、皿枠の空所内に操作ボタンとなる押上てこ部材を回動自在に装着し、この押上てこ部材の中皿との当接部を押上部より押上てこ部材の支点側に近接位置させ、容器本体の貫通孔から押上てこ部材を押圧、回動させ、中皿の底面を押し上げ可能としたものもあった。（例えば、特許文献２参照）。
【特許文献１】実用新案登録第２５３５７５９号公報（第２頁、第１図）
【特許文献２】実用新案登録第２５６２７９３号公報（第２−３頁、第２−７図）
【発明の開示】
【発明が解決しようとする課題】
【０００７】
上述した従来の化粧料コンパクト容器のうち、前者の実用新案登録第２５３５７５９号公報に示されたものは、操作ボタンとなる押出し操作片を、容器本体に内嵌される内枠部材に一体形成しているので、押し込んだ際、内枠部材に押し上げられる力が作用し、中皿が外れる前に内枠部材が容器本体から外れるおそれがあった。また、内枠部材は容器本体に内嵌される構成なので、脱落を防止するためには、容易に変形しないことが望ましく、そのため剛性の高い材料で成形すれば、押出し操作片の弾性力が損なわれるおそれがあり、反対に押出し操作片の弾性力を優先すると、今度は容器本体との嵌合強度が低下するという相反する構成上の問題点を有していた。
【０００８】
また、後者の実用新案登録第２５６２７９３号公報に示されたものは、操作ボタンとなる押上てこ部材が、容器本体や皿枠とは別体に構成されているので、上記のような問題点は生じないものの、この押上てこ部材を、皿枠の空所内、即ち、この空所が対応する容器本体の内部の隅角部分に回動自在に取り付けなくてはならず、この作業が細かく、組立作業性が悪いという問題点があった。また、押上てこ部材は、回動自在に保持されているだけであり、所定の位置で位置決めロックされるようにはなっていないので、中皿を外した状態で携帯したり、あるいは化粧料を収容しない外容器として販売流通させると、この押上てこ部材がガタつき、異音を生じて携帯時に不快感を与えたり、あるいは消費者にあたかも不良品であるかのような印象を与えかねないという問題点があった。
【０００９】
さらに、この押上てこ部材は、押し上げの際、指を外すとすぐに元の位置に復帰してしまうため、中皿を押し上げた状態で保持することができず、中皿を取り出し難いという問題点も有していた。
【００１０】
本発明は、上記従来の化粧料コンパクト容器が有していた問題点の解決を課題とする。
【課題を解決するための手段】
【００１１】
上記の問題点を解決するために、本発明のうち、請求項１記載の発明は、容器本体内に化粧料を充填した中皿を着脱自在に収納固定してなる化粧料コンパクト容器において、容器本体内に中皿が嵌合する内枠を固定し、この内枠には中皿の外周壁に設けられた周溝に係合し、中皿を脱落不可に保持する弾性係止部を設け、弾性係止部の下方の容器本体の底部には、中皿の底面を押し上げる押上部材操作用の開口を設けた。そして、押上部材を、その一端が容器本体と内枠との間で揺動あるいは回動可能に保持されることにより、前記開口に没入可能に取り付けられることとした。また、容器本体あるいは内枠側に押上部材と当接し、該押上部材を位置決め保持する係止突部を設け、中皿を装着していない時に、この押上部材がガタつかないようにし、かつ、中皿の取り替えの際は、中皿を持ち上げた状態が維持されるようにしたことを特徴とする。
【００１２】
請求項２記載の発明は、請求項１記載の発明の構成における弾性係止部を、内枠の内側壁に先端が出没可能に取り付けられた弾性係止部材で形成されたものと、限定したことを特徴とする。
【発明の効果】
【００１３】
本発明のうち、請求項１記載の発明では、押上部材を容器本体や内枠と別体に形成し、一端が容器本体と内枠との間で揺動あるいは回動可能に保持されることにより、容器本体の開口に没入可能に取り付けられることとしたので、組立作業性が良く、材質もそれぞれに最適なものを使用することができる。また、容器本体や内枠側に押上部材と当接してこの押上部材を位置決め保持する係止突部を設けたので、中皿を装着していない状態でも押上部材がガタついて異音を生じるおそれがない。よって、携帯時に不快感を与える事が無く、外容器としての商品の品質感も向上する。さらにまた、中皿の取り換えの際には、中皿が持ち上げられた状態で保持されるので、作業が行い易く、取扱性も向上するという効果を奏する。
【００１４】
請求項２記載の発明では、中皿を脱落不可に保持する弾性係止部を、内枠の内側壁に先端が出没可能に取り付けられた弾性係止部材で形成したので、その係脱動作が円滑に行えることとなり、上記請求項１記載の発明の効果に加え、中皿の保持が確実になるにもかかわらず、その取り換え作業性が良好になるという効果が得られる。
【発明を実施するための最良の形態】
【００１５】
以下、本発明を図示した実施の形態に基づき詳細に説明する。
【００１６】
図１は、本発明に係る化粧料コンパクト容器の要部切欠斜視図、図２は、その分解斜視図である。ここにおいて本発明の化粧料コンパクト容器は、化粧料を充填した中皿（図６に符号４で示す）が取り換え可能に構成されたものであり、中皿は、上面が開放された容器本体１内に、この容器本体１に一体的に取り付けられた内枠２を介して収納固定されるようになっており、容器本体１の一側には、その上面を開閉し得るように蓋体（図示せず）が枢着されている。
【００１７】
中皿４は、金属薄板をトレイ状にプレス成形してなる従来公知のものであり、その外周壁４ａには、図６に示すように、内方に凹んだ周溝４ｂが設けられている。
【００１８】
内枠２は合成樹脂で成形されたものであり、その内周の所定位置には、凸状の弾性係止部２ａが一体成形されている。そして、この弾性係止部２ａが、図６に示したように、中皿４の周溝４ｂに係合することにより、中皿４を脱落不可に容器本体１内に固定保持するようになっている。なお、図示していないが、中皿４の他方側（図６において右側）も同様に、その外周壁４ａに設けられた周溝４ｂが、内枠２に設けられた凸部など（図示せず）と係合し、固定保持されるようになっている。
【００１９】
容器本体１も同様に合成樹脂で成形されており、その底部１ａには、図２に示すように、側壁１ｂから内方に向かって凹部１ｄが形成されると共に、この凹部１ｄと連続するように、先端が上記弾性係止部２ａの下方に臨んだ開口１ｃが設けられ、この開口１ｃに中皿押上用の操作ボタンとなる押上部材３が嵌め込まれるようになっている。
【００２０】
上記押上部材３は、図２並びに図４、図５に示すように、片側が薄肉に形成された段付き略平板状に可撓性を有する合成樹脂で成形されたものであり、一端（図２において右奥側）の裏面側に係合溝３ｃが設けられると共に、他端（図２において左手前側）の中央部分に抜け止めを兼ねる押上突部３ａが、突出するように設けられている。そして、上記係合溝３ｃを容器本体１の薄肉部１ｄに設けられた係合突条１ｅに嵌め込み、容器本体１に内枠２を固定することにより、押上部材３は、その一端が容器本体１と内枠２との間で挟持され、ここを支点として揺動可能に取り付けられるものである。
【００２１】
なお、この時、押上部材３の他端側は、その先端に設けられた突部３ｂが、図５に示すように開口１ｃの内周に設けられた係止突部１ｇの下方に嵌まり込み、同時に押上突部３ａが、図３並びに図４に示すように開口１ｃの上部周縁に設けられた凹所１ｆ内に嵌まり込むようになっている。
【００２２】
本発明の化粧料コンパクト容器は、上記の構成を有している。
【００２３】
次に、中皿４の取り換え時の一連動作について説明すると、中皿４に充填された化粧料（図示せず）を使い切るなどして中皿４を取り換える必要が生じた際には、図５に矢印で示すように容器本体１の底部１ａの開口１ｃから押上部材３を上方に押し上げれば良く、このことで押上部材３が薄肉部分から撓み、先端の突部３ｂが係止突部１ｇを乗り越えると共に、中皿４の裏面に接した押上突部３ａが中皿４を押し上げ、この押上力により、中皿４の周溝４ｂに係合した弾性係止部２ａが外方（図６において左方）に押し拡げられ、やがてその係合が外れて、中皿４が容器本体１上に片側に傾いた状態で押し上げられるものである。
【００２４】
なお、この時、中皿４を押し上げる押上突部３ａは、図６に示すように中皿４の周溝４ｂが係合した弾性係止部２ａ寄りの片側に位置しているため、中皿４は、他方側（図６において右側）を支点として押し上げられ、軽い力でその係合を外す事ができる。
【００２５】
また、このようにして中皿４が押し上げられた時、押上部材３の先端（図５において右端）は、開口１ｃの係止突部１ｇを乗り越えてその上側で係止されることとなる。よって、中皿４は押し上げられた状態で保持されるので、容易にこの中皿４を摘んで容器本体１から取り出すことができ、その後、新しい中皿４を内枠２内に押し込めば良く、このことで、中皿４の周溝４ｂに弾性係止部２ａが係合すると共に、押上部材３が押し下げられて元の状態に復帰する。
【００２６】
また、中皿４を取り出した状態で、押上部材３の先端を押し下げれば、先端の突部３ｂが係止突部１ｇを乗り越え、容器本体１の底面と面一の状態で保持されるので、この状態で携帯したり、あるいは販売流通させたとしても、押上部材３がガタついて異音を生じたりするおそれはない。
【００２７】
図７〜図１１は、本発明の他の実施形態を示しており、この場合、押上部材１３は容器本体１１と内枠１２との間で回動支持されるように、その一端に軸部１３ｃが一体成形されており、また、中程の左右両側には、容器本体１１の底部１１ａに設けられた係止突部１１ｇと当接する位置決め用の弾性片１３ｂが上向きに突設されている。なお、この押上部材１３の先端は、開口１１ｃの片側端面に設けられた段部１１ｆと係合するように、側面視略Ｌ字形に屈曲され、上面が中皿４と接する押上突部１３ａとしている。
【００２８】
一方、この押上部材１３を保持する内枠１２は、弾性係止部１２ａの両側が、押上部材１３の上方への移動を妨げないように切欠されると共に、その内側には、押上部材１３の軸部１３ｃを、容器本体１１の内側角部１１ｈとの間で保持する保持片１２ｂが一対、下方突設されている。
【００２９】
この実施形態の化粧料コンパクト容器では、押上部材１３は容器本体１１に内枠１２を一体的に取り付けた後、取り付けるようになっている。つまり、押上部材１３の軸部１３ｃは、開口１１ｃの後側（図８において紙面の右奥側）の幅よりやや長く形成されており、これを開口１１ｃの下方から押し上げれば、撓んで開口１１ｃを通過し、開口１１ｃの上側で原状に復帰することにより、図１０並びに図１１に示したように、内枠１２の支持片１２ｂと容器本体１１の内側角部１１ｈとの間で回動可能に保持され、また、弾性片１３ｂ自体が撓むことにより、その先端が、段部を乗り越え、内側に浸入し、このことで押上部材１３が開口１１ｃ内に脱落不可に取り付けられるものである。
【００３０】
そして、中皿４の取り換えの際には、上記のものと全く同様に、開口１１ｃ内に没入するようにこの押上部材１３を押し上げれば良く、このことで、押上部材１３は軸部１３ｃを中心に回動し、弾性片１３ｂが位置決め用の係止突部１１ｇを乗り越える共に、押上突部１３ａが周溝４ｂと弾性係止部１２ａとの係合を外すように中皿４を押し上げるものである。
【００３１】
なお、この時も押上突部１３ａは、弾性係止部１２ａ近傍の中皿４の片側寄りに位置しているので、中皿４は、他方側（図１０において左側）を支点として押し上げられ、容易にその係合が外されることとなる。また、このようにして中皿４が押し上げられた時、弾性片１３ｂは係止突部１１ｇを乗り越え、その上側で係止されるので、中皿４は押し上げられた状態で保持され、容易に容器本体１１内から取り出すことができる。さらに、中皿４を装着しない状態であっても弾性片１３ｂが係止突部１１ｇと当接することにより、押上部材１３を回動させないように保持しているので、上記の実施の形態のものと同様に押上部材１３がガタつくことはない。
【００３２】
図１２〜図１７は、本発明のさらに他の実施形態を示しており、この場合、中皿４の周溝４ｂに係合する弾性突部を、内枠２２と別体の弾性係止部材５で構成すると共に、押上部材２３の弾性片２３ｂと当接する位置決め用の係止突部５ｆをこの弾性係止部材５に設けている。なお、押上部材２３の基本的な形状は、上記の実施形態のものと殆ど同じであるが、ここでは、押上部材２３を容器本体２１の所定位置にセットした後、内枠２２を取り付け、軸部２３ｃを保持するようにしている。従って、軸部２３ｃは押上部材２３と同幅に形成されている。
【００３３】
上記弾性係止部材５は、図１３の斜視図に示すように、山形の突部５ａとその両側のなだらかな係止突部５ｆとが設けられた基部５ｅの左右両側に、弾性脚片５ｂが略ハの字形に連設されたものであり、可撓性を有する合成樹脂で形成されている。そして、突部５ａの裏面側には、図１５の断面図に示すように、後端に抜け止め５ｄを有する取付片５ｃが突設されており、この取付片５ｃを内枠２２の下側に設けられた受部２２ｃに挿入することにより、両端（弾性係止部材の左右両端）が内枠２２内の受片２２ｄに接した弾性脚片５ｂの弾性力により、先端の突部５ａが内枠２２の内周壁から内方に突出する方向に付勢されて、この内枠２２に出没可能に取り付けられるものである。従って、この構成の場合、内枠２２を可撓性を有する合成樹脂で成形する必要はなく、内枠２２に適した任意の材質で成形することができる。
【００３４】
そして、このように構成された化粧料コンパクト容器では、押上部材２３を開口２１ｃに没入する方向に押し上げると、中皿４の裏面に接した押上突部２３ａが中皿４を押し上げ、このことで先端の突部５ａが周溝４ｂに係合した弾性係止部材５は、内枠２２内に押し込まれる方向の力を受け、同時に弾性片２３ｂが弾性係止部材５の係止突部５ｆに乗り上げることにより、同様に弾性係止部材５は、中枠２２内に押し込まれる方向の力を受ける。よって、弾性係止部材５は、無理なく中皿４との係合が外れる方向に移動し、係合が外れた中皿４は容易に押し上げられる。また、押上完了後は、弾性係止部材５が弾性脚片４５ｂの弾性力により、元の状態に復帰するので、押上部材２３の弾性片２３ｂは、弾性係止部材５の係止突部５ｆの上側で係止されることとなり、押上部材２３は中皿４を押し上げた状態で保持されるものである。
【００３５】
このようにして中皿４が、容器本体２１から取り出され、その後、新しい中皿４を内枠２２内に押し込めば、上記と全く反対の動きにより、押上部材２３が元の状態に復帰すると共に、中皿４が弾性係止部材５と係合し、容器本体２１内に脱落不可に係止保持されるものである。
【図面の簡単な説明】
【００３６】
【図１】本発明に係る化粧料コンパクト容器の実施形態を示した要部切欠斜視図である。
【図２】図１に示した化粧料コンパクト容器の要部分解斜視図である。
【図３】図１の要部拡大平面図である。
【図４】図３のＡ−Ａ線の断面図である。
【図５】図３のＢ−Ｂ線の断面図である。
【図６】図３のＣ−Ｃ線の断面図である。
【図７】化粧料コンパクト容器の他の実施形態を示した要部切欠斜視図である。
【図８】図７に示した化粧料コンパクト容器の要部分解斜視図である。
【図９】図７の要部拡大平面図である。
【図１０】図９のＤ−Ｄ線の断面図である。
【図１１】図９のＥ−Ｅ線の断面図である。
【図１２】化粧料コンパクト容器のさらに他の実施形態を示した要部切欠斜視図である。
【図１３】図１２に示した化粧料コンパクト容器の要部分解斜視図である。
【図１４】図１２の要部拡大平面図である。
【図１５】図１４のＦ−Ｆ線の断面図である。
【図１６】図１４のＧ−Ｇ線の断面図である。
【図１７】図１４のＨ−Ｈ線の断面図である。
【符号の説明】
【００３７】
１，１１，２１  容器本体
２，１２，２２  内枠
３，１３，２３  押上部材
４  中皿
５  弾性係止部材
１ｃ，１１ｃ，２１ｃ  開口
２ａ，１２ａ  弾性係止部
３ａ，１３ａ，２３ａ  押上突部
１ｇ，１１ｇ，２２ｅ  係止突部
３ｃ  係合溝
１３ｃ，２３ｃ  軸部
５ａ  突部
５ｂ  弾性脚片
５ｃ  取付片
１３ｂ，２３ｂ  弾性片
２２ｃ  受部
【図１】
2005137439.tif 000003
【図２】
2005137439.tif 000004
【図３】
2005137439.tif 000005
【図４】
2005137439.tif 000006
【図５】
2005137439.tif 000007
【図６】
2005137439.tif 000008
【図７】
2005137439.tif 000009
【図８】
2005137439.tif 000010
【図９】
2005137439.tif 000011
【図１０】
2005137439.tif 000012
【図１１】
2005137439.tif 000013
【図１２】
2005137439.tif 000014
【図１３】
2005137439.tif 000015
【図１４】
2005137439.tif 000016
【図１５】
2005137439.tif 000017
【図１６】
2005137439.tif 000018
【図１７】
2005137439.tif 000019